(57)【要約】【課題】汚染源にある程度近づいても汚染源からの放射線を感度良く検出できるモニタリングカートを提供する。検出限界角度が方位によって滑らかに変化するようにする。【解決手段】ハウジング１８の前面１８ｂは半円筒面を構成している。これにより上面１８ａの前縁が半円を構成している。検出部２０の内部にはシンチレータ部材が設けられている。シンチレータ部材から見てそれを取り囲むように前縁が湾曲しているので、下方からの放射線についての検出限界角度の方位依存性を小さくすることができ、あるいは、方位に応じて検出限界角度を滑らかに変化させることができる。【選択図】図１
2014163695.tif 000002
【特許請求の範囲】
【請求項１】
複数の車輪を有するベースユニットと、
前記ベースユニット上に設けられた筺体と、
前記筺体の後側に立つ操作者によって握られるハンドル部材と、
前記筺体の上面における左右方向の中央位置であって前記筐体の上面レベルよりも高いレベルに設置された放射線検出器を備える検出部と、
前記検出部の出力信号に基づいて水平方向として放射線の飛来方位を特定する方位演算部と、
を含み、
前記筺体は前方に膨らんだ半円筒面状の形態を有する前面を有し、
前記筺体の上面における前縁が前記検出部周りにおいて円弧状に湾曲している、
ことを特徴とするモニタリングカート。
【請求項２】
請求項１記載のモニタリングカートにおいて、
前記筺体の上面は半円形状の前側領域とそれに連なる後側領域とを有し、
前記前側領域に前記検出部が設置された、
ことを特徴とするモニタリングカート。
【請求項３】
請求項１又は２記載のモニタリングカートにおいて、
前記放射線検出器はシンチレータ部材であり、
前記検出部は前記シンチレータ部材を収容するドーム状のカバーを備える、
ことを特徴とするモニタリングカート。
【請求項４】
請求項１乃至３のいずれか１項に記載のモニタリングカートにおいて、
前記ベースユニットは放射線の遮蔽作用又は減弱作用を有するベースプレートを有し、
前記ベースプレートは前記前面よりも前方に広がっている、
ことを特徴とするモニタリングカート。
【請求項５】
請求項１乃至４のいずれか１項に記載のモニタリングカートにおいて、
前記筺体の上面には放射線の飛来方位を特定する際に参照される方位インジケータが設けられた、
ことを特徴とするモニタリングカート。
【請求項６】
請求項５記載のモニタリングカートにおいて、
前記方位インジケータは前記検出部の周囲に設けられた環状の目盛りである、
ことを特徴とするモニタリングカート。
【発明の詳細な説明】
【技術分野】
【０００１】
本発明はモニタリングカートに関し、特に、放射性汚染源（ホットスポット）の探索で利用されるモニタリングカートに関する。
【背景技術】
【０００２】
放射性汚染区域において、その汚染を除去低減する作業（除染作業）を効果的に行うためには、放射性物質（例えばCs-137）の濃度がより高い場所（ホットスポット）を特定することが望まれる。ホットスポットを特定した上で、その場所から土壌等を取り除いたり、その場所に対して洗浄を行ったりする作業が実施される。
【０００３】
一般的なサーべイメータは基本的に無指向性である。ホットスポットの近くであれば、サーベイメータのプローブを動かして見てそれに伴う線量の変化から、ホットスポット（特に局所的な汚染部位）を特定することが可能である。しかし、広いエリアを対象としてサーベイメータを用いてホットスポットを特定することは非常に困難である。
【０００４】
そこで、ホットスポットの特定に当たっては、放射線飛来方位を特定可能な放射線測定装置を用いることが望まれる。例えば、特許文献１には、複数のシンチレータを用いて得られた複数の計数値の相互比率から放射線の飛来方位を特定する装置が開示されている。この他、回転駆動される遮蔽体を用いて飛来方位を特定する装置が提案されている（特許文献２）。この他にも幾つかの装置が提案されている（特許文献３，４，５，６）。なお、本願に関連する未公開の先願として特願２０１２−０７８７７６号がある。
【先行技術文献】
【特許文献】
【０００５】
【特許文献１】特開２００７−１５５３３２号公報
【特許文献２】特開２００４−３２５４１７号公報
【特許文献３】特開２００８−１３４２００号公報
【特許文献４】特開２００４−３０１７９８号公報
【特許文献５】特開２００４−１７０１２５号公報
【特許文献６】特開２００４−２０４３１号公報
【発明の概要】
【発明が解決しようとする課題】
【０００６】
ホットスポットを特定するためには移動しながら複数の地点で飛来方位を測定することが望まれる。しかし、自動車等の大型車両に測定装置を搭載すると、設備全体が大型化してしまい、機動性が損なわれる。狭い場所や細い通路を移動して手軽に測定を行える装置が求められている。
【０００７】
地表面から一定の高さに放射線検出器を維持して測定を行うことを前提とした場合、汚染源がかなり遠くにあるときにはおよそ水平方向から飛来する放射線を測定することになる。その場合、直下あるいは斜め下方からの放射線があまり検出されないように構成しておくのが望ましい。一方、汚染源に対して例えば数メートル〜１０数メートル程度まで近付いたときには、その汚染源の特定のために、斜め下方から飛来する放射線も測定する必要がある。なお、放射線の飛来方位を精度良く特定するためには、正面方向を中心として例えば左右９０度の範囲にわたって、かつ、水平角度から下方へ数十度の範囲にわたって、できるだけ感度特性（水平感度特性及び垂直感度特性）に乱れがないように構成しておくのが望ましい。方位や仰角に依存して検出感度が大きく変化しあるいは不規則に変化すると、方位特定の信頼性が低下してしまうからである。
【０００８】
本発明の目的は、機動性を有するモニタリングカートを実現することにある。あるいは、本発明の目的は、汚染源にある程度近付いても汚染源からの放射線を検出できるようにすることにある。あるいは、本発明の目的は、下方からの放射線を検出する場合における検出限界角度が一定の方位範囲内において方位によって大きく乱れることのないようにすることにある。
【課題を解決するための手段】
【０００９】
本発明に係るモニタリングカートは、複数の車輪を有するベースユニットと、前記ベースユニット上に設けられた筺体と、前記筺体の後側に立つ操作者によって握られるハンドル部材と、前記筺体の上面における左右方向の中央位置であって前記筐体の上面レベルよりも高いレベルに設置された放射線検出器を備える検出部と、前記検出部の出力信号に基づいて水平方向として放射線の飛来方位を特定する方位演算部と、を含み、前記筺体は前方に膨らんだ半円筒面状の形態を有する前面を有し、前記筺体の上面における前縁が前記検出部周りにおいて円弧状に湾曲している、ことを特徴とする。
【００１０】
上記構成によれば、機動性あるモニタリングカートを構成できる。モニタリングカートは望ましくは手押し車のようなものであり、それは基本的に人間を載せる移動体ではなく、操作者（測定者）の力によって動かされるものである。もっとも、操作者の負担を軽減又は解消するためにモニタリングカートに動力源を搭載してもよい。
【００１１】
筐体はハウジングを構成するものであり、それは例えば金属により構成される。そのような材料は大なり小なり放射線遮蔽作用又は放射線減弱作用を有するものである。筐体の中には測定回路、演算回路等が配置される。筐体の前面は、前方へ膨らみ出ており、それは半円筒面状の形態を有する。その曲率は望ましくは方位によらず一定であるが、方位によって連続的に変化していてもよい。上面の前縁は検出部周りにおいて湾曲し、その形態は円弧状である。ここで、前縁は上面と前面とが繋がっている境界線に相当するものである。上方から見て検出部を取り囲むように設けられた前縁が円弧状の形態を有しているので、放射線検出器における検出限界角度は方位によって変化しないか、変化したとしても滑らかに変化する。ここで、検出限界角度は、水平方向を０度とし、水平方向よりも下側の角度をマイナス角度と定義した場合において、筐体によって遮られないで放射線検出を行えるマイナス角度の最大値である。すなわち、上記構成によれば、一定の前方方位範囲にわたって、斜め下方から飛来してくる放射線を積極的に検出できるから、汚染源に対して近付いた状態でも飛来方位の判定を行える。また、一定の前方方位範囲内にわたって、垂直感度特性（あるいは垂直指向特性）の方位依存性を小さくできる。よって、方位特定精度を高められる。
【００１２】
望ましくは、前記筺体の上面は半円形状の前側領域とそれに連なる後側領域とを有し、前記前側領域に前記検出部が設置される。この構成によれば、筐体の上面における前側領域に検出部が設置されており、後方に存在する操作者による影響（例えば人体で生じた散乱線の影響）を低減できる。検出部が操作者の視野内に存在しており、それを基準として飛来方位が判定されるから、操作者をして飛来方位を直感し易い。
【００１３】
望ましくは、前記放射線検出器はシンチレータ部材であり、前記検出部は前記シンチレータ部材を収容するドーム状のカバーを備える。方位判別を行えるように検出部を構成するのが望ましい。
【００１４】
望ましくは、前記ベースユニットは放射線の遮蔽作用又は減弱作用を有するベースプレートを有し、前記ベースプレートは前記前面よりも前方に広がっている。この構成によれば、直下又はその付近から飛来してくる放射線を遮蔽又は減弱させることができるから、バックグランドノイズを低減できる。検出部が上面における前側領域に配置されている場合、そこに進入するバックグランドノイズを効果的に低減するためには、ベースプレートが前面よりも更に前方へ広がっているのが望ましい。
【００１５】
望ましくは、前記筺体の上面には放射線の飛来方位を特定する際に参照される方位インジケータが設けられる。この構成によれば、飛来方位が特定された場合に、実際にどの方向が飛来方位であるのかを容易に認識できる。望ましくは、前記方位インジケータは前記検出部の周囲に設けられた環状の目盛りである。検出部が検出原点であるから、それを基準として飛来方位を表す目盛りを設けるのが望ましい。この構成によれば、汚染源が近くなっても、より正確に飛来方位を認識することが可能である。
【発明の効果】
【００１６】
本発明によれば、機動性を有するモニタリングカートを実現できる。あるいは、汚染源にある程度近付いても汚染源からの放射線を検出できる。あるいは、斜め下方からの放射線を検出する場合における検出限界角度が一定の方位範囲内において方位によって大きく乱れないようにできる。
【図面の簡単な説明】
【００１７】
【図１】本発明に係るモニタリングカートの好適な実施形態を示す斜視図である。
【図２】図１に示したモニタリングカートの側面図である。
【図３】図１に示したモニタリングカートの背面図である。
【図４】図１に示したモニタリングカートの上面図である。
【図５】方位に応じて変化する検出限界角度を説明するための図である。
【図６】比較例を説明するための図である。
【図７】図１に示したモニタリングカートのブロック図である。
【発明を実施するための形態】
【００１８】
以下、本発明の好適な実施形態を図面に基づいて説明する。
【００１９】
図１には、本発明に係るモニタリングカートの好適な実施形態が示されており、図１はその斜視図である。このモニタリングカートは、局所的な汚染源すなわちホットスポットを探索するための装置であり、特に、汚染源が存在する方位を特定可能なものである。モニタリングカートは、操作者すなわち測定者によって動かされるものでり、それは基本的に屋外において利用されるものであるが、屋内において利用されてもよい。
【００２０】
図１において、モニタリングカート１０は、ベースユニット１１を有している。ベースユニット１１は、ベースプレート１２及び複数のキャスタ１４，１６を有するものである。ベースプレート１２は、例えばステンレス等の金属により構成され、それは水平方向に広がった板状の部材である。ベースプレート１２は、放射線としてのγ線を遮蔽或いは減弱する作用を発揮する。ちなみに、図１において、Ｘ方向が前後方向であり、Ｙ方向が左右方向であり、Ｚ方向が垂直方向である。モニタリングカート１０の後側すなわち背面側に操作者が位置し、その操作者によってモニタリングカート１０が動かされ、また操作される。
【００２１】
図１に示されるように、ベースプレート１２の下側には、一対の前側キャスタ１４と、一対の後側キャスタ１６と、が設けられている。これらのうちで、例えば前側キャスタ１４が旋回可能なキャスタである。もちろん、後側キャスタ１６も旋回可能なキャスタとして構成することが可能である。複数のキャスタ１４，１６あるいは一部のキャスタ１４，１６に対してブレーキ機構を設けるようにしてもよい。補助的な動力源を搭載して、その動力源によってキャスタを回転駆動させることも可能である。
【００２２】
ベースユニット１１上には筐体としてのハウジング１８が設けられている。ハウジング１８は例えばアルミニウムなどの部材により構成され、それは中空ケースに相当するものである。ハウジング１８及び内部の構成を含めてそれら全体としてカート本体が構成されている。ハウジング１８は図示されるように、およそ箱形を有しており、ただしその前面１８ｂは前方に膨らんでおり、半円筒面を構成している。前面１８ｂの曲率は１８０度の範囲に渡って同一であるが、もちろん曲率が滑らかに変化するように構成してもよい。前面１８ｂに連なって左側面１８ｃが設けられ、その反対側に右側面が存在している。ハウジング１８の後側には扉が設けられている。それについては後に図３を用いて説明する。ハウジング１８の上面１８ａは平坦な水平面を構成している。上面１８ａは半円状の前側エリアとそれに連なる矩形の後ろ側エリアとからなる。
【００２３】
前側エリア上に検出部２０が設けられている。検出部２０は、後に説明するように、シンチレータ部材と、それを収容したドーム状のカバー２０Ａと、を有している。シンチレータ部材は、それ全体が上面１８ａのレベルよりも高い位置に設定されている。カバー２０Ａの周囲にはリング状の部材が設けられ、それは方位インジケータ２４として機能している。すなわち方位インジケータ２４は各方位を表す目盛りとして構成されている。例えばＬＥＤ列や液晶表示器等を利用して飛来方位を表示するようにしてもよい。
【００２４】
上面１８ａの左右方向の中央位置であって前側には検出部２０が設けられており、その前後方向の中心部には表示灯２２が配置されている。この表示灯２２は、例えば汚染源が特定されたような場合、すなわち一定の線量率が計測された場合に、点灯するするものである。線量率の大きさに応じてその表示態様を変化させてもよい。
【００２５】
ハウジング１８の左側には左フレーム２６が設けられ、ハウジング１８の右側には右フレーム２８が設けられている。それらのフレーム２６，２８は対称の構成を有している。よって左フレーム２６を代表させて説明する。左フレーム２６は垂直に配置されたパイプ３０と斜めに配置されたパイプ３２とを有している。それらのパイプ３０，３２はジョイント部３４において連結されている。パイプ３２の上端部は屈曲しており、その屈曲部分としての端部がハンドル３６を構成している。すなわち、ハウジング１８の右側に右側ハンドルが設けられ、その左側に左側ハンドルが設けられている。操作者によって両手を使って２つのハンドルが握られ、それらを前方に押すことによってモニタリングカート１０が前方に走行する。またそれぞれのハンドルへの力のかけ方を変えることにより、モニタリングカート１０を所望の方向へ進行させることが可能である。
【００２６】
ハウジング１８は上述したように、本実施形態において金属部材で構成され、それは一定の放射線減弱作用を発揮するものである。ハウジング１８の内部には後に説明するように、光電子増倍管、中央処理部、制御部等が設けられ、更にバッテリ等が設けられている。ハウジング１８がシールド作用を発揮し、その中の電子回路が外来電磁波から保護されている。
【００２７】
図２には図１に示したモニタリングカート１０の側面図が示されている。上述したように、ベースプレート１２が直下あるいは直下付近から飛来する放射線１００Ｃを遮蔽する機能を発揮している。ハウジング１８において、前面１８ｂは半円筒面を構成している。上面１８ａ上には検出部２０、表示灯２２、スタンド治具４２が設けられている。検出部２０は、その中にシンチレータ部材３８を有しており、シンチレータ部材３８はカバー２０Ａによって覆われている。
【００２８】
図２に示されるように、シンチレータ部材３８は、上面１８ａよりも高い位置に設けられている。シンチレータ部材１８の上下方向の中心位置を示すためにカバー２０Ａの外周面上には帯状のマーク４０が設けられている。スタンド治具４２は、校正用の線源を検出部２０の上方に設置する際に利用されるものである。
【００２９】
ハウジング１８の後側には開閉運動する扉４４が設けられている。ちなみに、ハウジング１８は防水型であり、他の構成も防水機能を有している。上面１８ａの前縁４５は後に説明するように円弧状の形態を有している。その前縁４５は、上面１８ａと前面１８ｂとの境界線に相当する。
【００３０】
図３には、モニタリングカートの背面図が示されている。上述したように、ハウジング１８の後側には扉４４が設けられている。扉４４は窓４６を有し、その窓４６介して表示器や操作パネルなどを目視することができる。扉４４を開けると、表示器や操作パネルが露出する。表示器には例えば測定された飛来方位が表示され、また線量率などが表示される。もちろんそのような表示器を上面に設けるようにしてもよい。検出部の校正を行う場合、スタンド治具４２に対してスタンド４８が差し込まれる。スタンド４８は構成用線源（密封線源）５０を備えており、そこからのγ線５２が検出部によって検出される。その際の線量率等に基づき、検出部あるいは演算部の構成が行われる。
【００３１】
図４には、モニタリングカートの上面図が示されている。符号１１０は、左右方向の中心を通る中心線である。ライン１１２は、上面１８ａにおける、前側領域Ｅ１と後側領域Ｅ２等を分ける水平線である。前側領域Ｅ１は半円形状をもったエリアであり、後側領域Ｅ２は矩形の領域である。ライン１１４とライン１１０の交点として検出中心５２が特定されている。後側領域Ｅ２には、上述したように表示灯２２が設けられ、その右側にはスタンド治具４２が設けられている。表示灯２２の左側には本実施形態においてＧＰＳ７０が設けられている。それは地理上の位置データを測定するものである。
【００３２】
前側領域Ｅ１には検出部２０が設けられている。図４に示されるように前側領域Ｅ１内に検出部２０の全部が入り込んでいる。すなわち、カバーの外経（直径）は前面１８ｂの曲率を定める直径の１／２より小さい。ハウジング１８は上述したように、前面１８ｂの他、左側面１８ｃ及び右側面１８ｄを有している。
【００３３】
ベースプレート１２はハウジング１８よりも水平方向に張り出しており特に前端面１２Ａが前面１８ｂよりも前方へ広がった位置に形成されている。前端面１２Ａは前方へ緩やかに膨らんでいる形状を有している。
【００３４】
シンチレータ部材における方位に応じた垂直感度特性の変化について図５を用いて説明する。
【００３５】
ハウジング１８の前面１８ａは前述したように半円筒面を構成しており、これによって、上方から見た場合、シンチレータ部材３８を取り囲むように円弧状の形態をもって前縁４５が存在している。前縁４５はハウジング１８のエッジに相当するものである。ちなみに、符号２０Ａはカバーを示している。
【００３６】
図５に示されるように、全方のセンター方位を０度とし、そこからたとえば、時計回り方向に３０度、６０度、９０度、１２０度の方位を定義した場合、本実施形態においては、およそ右側及び左側に１２０度の範囲に渡って飛来方位の特定を行うことが可能である。その場合において、０度から右側及び左側に約１２０度の範囲に渡って垂直方向における検出限界角度が連続的に変化している。
【００３７】
（Ａ）〜（Ｅ）には検出限界角度が模式的に示されている。（Ａ）に示す模式図は０度に対応した垂直断面図に相当している。そのような方位においては、シンチレータ部材３８によってハウジング１８を通らずに検出可能な斜め下方からの放射線のうちで最も大きな角度となる放射線は符号１０２Ａで示すものとなる。それはハウジング１８におけるエッジに相当する前縁点４５Ａ付近を通ってシンチレータ部材３８に達するものである。この場合における検出限界角度がφ１で表されている。実際には、ハウジング１８を部分的に通過する放射線も観測しうるが、そのような放射線はハウジング１８による減弱を受けたものでありハウジング１８による減弱が行われない放射線をもって、検出限界角度が定義されている。（Ｂ）には方位３０度に対応する検出限界角度φ２が示されている。そのような角度で飛来する放射線１０２Ｂは前縁点４５Ｂ付近を通過したものである。（Ｃ）には方位６０度に対応する検出限界角度φ３が示されている。放射線１０２Ｃはハウジング１８における前縁点４５Ｃ付近を通過してシンチレータ部材３８に到達するものである。（Ｄ）には方位９０度に対応する検出限界角度φ４が示されている。放射線１０２Ｄはハウジング１８における前縁点４５Ｄ付近を通過してシンチレータ部材３８へ到達するものである。（Ｅ）には方位１２０度に対応する検出限界角度φ５が示されている。放射線１０２Ｅはハウジング１８における前縁点４５Ｅ付近を通過してシンチレータ部材３８に到達するものである。
【００３８】
以上のように、前面１８ｂが半円筒面を構成しており、これに応じて前縁４５が半円の形態を有しているので、水平方向の方位の増大に応じて検出中心５２から前縁までの距離が滑らかに変化しており、その結果、検出限界角度が方位０度から右側及び左側の方位１２０度付近に渡って滑らかに変化している。すなわち垂直方向の感度特性あるいは指向特性が滑らかに変化しており、それが不規則にあるいは急襲に変化していないので、方位判定精度を安定化させることができ、あるいは方位判定精度を向上することが可能となる。もちろん、前面１８ｂの曲率中心と検出中心５２とを一致させれば、前方の広い角度範囲に渡って垂直方向の感度特性を均一にできるが、そのような場合には加工コストが増大しやすくなるため、本実施形態にような構成を採用するのが望ましい。ちなみに、モニタリングカートの後側には操作者が存在しており、その者によってモニタリングカートが基本的に前方に押され、また操作されるため、後側の方位範囲については基本的に方位特定を行う必要がない。もちろん、ハウジングの形状を工夫することにより、そのような方位においても感度特性の均一化を図ることが可能である。
【００３９】
ちなみに、上面の端部を傾斜させる等の加工により垂直感度特性の方位依存性を小さくすることも可能であるが、そのような場合には加工コストが増大し、また不必要にハウジング内容積が小さくなってしまうため、本実施形態においては上面が平坦面として構成され、且つ、前面が半円筒面として構成されている。
【００４０】
図６には比較例が示されている。この比較例においてハウジング５４は上方から見て完全に矩形の形態を有しており、その前面５６は平面である。その結果、前縁５４Ａは直線である。このような構成において、（Ａ）には方位０度の検出限界角度が示されている。図示されるように、その検出限界角度はφ６である。それはハウジング５４の前縁点５６Ａ付近を通過する放射線によって定義されるのもである。一方、（Ｂ）には、方位６０度に対応する検出限界角度φ７が示されている。ハウジング５４が上方から見て矩形を有しており、方位６０度においてシンチレータ部材３８の中心と前縁点５６Ｂとの間の水平距離が最も増大するため、検出限界角度φ７はかなり小さくなっている。すなわち当該方位において比較的近い地点に汚染源がある場合、その汚染源を十分に検出できないおそれがある。しかも、方位６０度を境として垂直方向の感度特性が大きく変化してしまう点も指摘できる。
【００４１】
これに対し、本実施形態のモニタリングカートによれば、図５に示したように、前方における広い方位範囲に渡って、垂直感度特性すなわち検出限界角度を滑らかに変化させることができ、また検出限界角度を比較的大きくすることができるので、汚染源に近づいたような場合であってもその汚染源からの放射線を感度よく検出することが可能である。ちなみに、汚染源の特定にあたっては、モニタリングカートの進行方向が当該汚染源へ向けられることが多く、汚染源が存在する方位は方位０度あるいはその付近になる場合が多い。したがって、本実施形態においては、方位０度付近において大きな検出限界角度となっており、そこから離れるに従って検出限界角度が小さくなっている。
【００４２】
図７にはモニタリングカートのブロック図が示されている。検出部２０は、シンチレータ部材３８とそこで生じた光を検出する３つの光電子増倍管５８，６０，６２と、を有している。シンチレータ部材３８は、例えば円盤状の形態を有し、それは１２０度ごとに３つのブロックに区分されている。各ブロックごとに光電子増倍管が設けられている。放射線の飛来方位に応じて、３つの光電子増倍管を用いて検出される３つの計数値の比率が変化することになり、そのような比率変化をもって、放射線の飛来方位を特定することが可能である。
【００４３】
高電圧源６４は、３つの光電子増倍管５８，６０，６２に対して電力を供給するものである。信号処理部６６は、各光電子増倍管５８，６０，６２から出力された電気的なパルスに対して波高弁別、パルス整形等の公知の信号処理を適用するものであり、信号処理後のパルスが制御部６８に送られている。
【００４４】
制御部６８は、例えばマイコンにより構成され、それは方位演算部７０を備えるものである。方位演算部７０は３つの光電子増倍管を利用して得られた３つの計数値あるいは係数率の相互比から放射線飛来方位を判定する。判定結果である放射線飛来方位を表すデータは表示部７４に送られ、そこにおいて数値あるいはベクトル記号として放射線の飛来方位が表示される。
【００４５】
入力部７２はスイッチあるいはキーボードにより構成されるものであり、入力部７２を利用して制御部６８に対して所定の入力を行うことができる。表示灯２２は、線量率が一定値を超えた場合において点灯するものである。線量率の大小に応じて表示態様が変化するように構成してもよい。ＧＰＳ７６は、地理上における位置データを取得するものであり、その位置データが制御部６８に送られている。制御部６８には通信部７８が接続されており、通信部７８にはアンテナ８０が接続されている。制御部６８は、必要に応じて、方位測定結果に位置データを付加しそれらを通信部７８およびアンテナ８０を介して電波として中央センターへ送信する。電源部８２は一次電池または二次電池により構成されるバッテリ８４を備えている。電源部８２は制御部６８および他の構成に電力を供給するものである。
【００４６】
以上のように、本実施形態に係るモニタリングカートによれば、検出部を取り囲むように前縁の形態が定められ、これによって、垂直方向の感度特性、具体的には検出限界角度、の方位依存性を小さくすることができ、その結果、方位特定精度を高められる。またハウジングがシンプルな形態を有しているので、その内部におけるデッドボリュームを小さくすることができ、またハウジングの加工コストを低減できる。本実施形態においては方位０度において検出限界角度が最も大きくされているので、実際の汚染源の特定にあたってモニタリングカート１０が進行する方向において垂直方向の感度特性を良好にすることが可能である。更に、本実施形態においてはハウジングの下方にベースプレートが設けられ、それによって下側から飛来するバックグラウンド放射線を低減することが可能となる。
【００４７】
上述した実施形態においては、検出部の周囲に円環状の方位インジケータが設けられており、方位が判定された場合、検出部との関係でその方位を正確に読み取ることが可能である。
【符号の説明】
【００４８】
１０  モニタリングカート、１１  ベースユニット、１２  ベースプレート、１８  ハウジング、２０  検出部、２２  表示灯、２４  方位インジケータ。
【図２】
2014163695.tif 000003
【図３】
2014163695.tif 000004
【図４】
2014163695.tif 000005
【図５】
2014163695.tif 000006
【図６】
2014163695.tif 000007
【図７】
2014163695.tif 000008
【図１】
2014163695.tif 000009